(57)【要約】【課題】      ロ−プの外層体が伸縮性を有して衝撃を緩和すると共に外層体の伸びを規制してロ−プの破損を防止した釣り用引き舟を提供することである。【解決手段】  釣り用引き舟は、牽引用のロ−プ１を有し、このロ−プ１は、管状に形成され長手方向に沿って中空部を有し、ゴムや塩化ビニ−ルやウレタン等の合成樹脂等の伸縮性を有する材料で形成した外層体４と、この外層体４の中空部４ａに沿って挿通したナイロン、ポリエチレン等合成樹脂のモノフィラメントやマルチフィラメントからなる外層体４より伸びの小さい線材５からなっており、線材５は外層体４より長く螺旋状に形成され、外層体４と相対的に移動可能に外層体４の中空部４ａに挿通されて外層体４と線材５が伸びて線材５に弛みが無く一直線状になったときに線材５によって外層体４の伸びが規制される。【選択図】        図１
2008295318.tif 000002
【特許請求の範囲】
【請求項１】
ロ−プを取り付けた引き舟において、前記ロ−プは長手方向に沿って中空部を有し伸縮性を有する材料で形成した外層体と、前記外層体の中空部に移動可能に挿通した前記外層体の伸びを規制する線材を有していることを特徴とする釣り用引き舟。
【請求項２】
前記線材は前記外層体よりも伸縮性が小さい材料で形成されていることを特徴とする請求項１記載の釣り用引き舟。
【請求項３】
前記線材は前記外層体よりも長く形成されていることを特徴とする請求項１または２記載の釣り用引き舟。
【発明の詳細な説明】
【技術分野】
【０００１】
本発明は、牽引用のロ−プを有する釣り用引き舟に関する。
【背景技術】
【０００２】
従来から鮎釣り等に釣り用引き舟が使用され、釣り人は魚を生かしたまま引き舟に入れ流れの中に立ち込んでロ−プに取り付けて引き流しながら釣りを行っていた。
このような引き舟のロ−プは、引き舟が流れに負けないよう丈夫なものが好まれ、特許文献１などのようにナイロンの組紐やこの組紐に合成樹脂でコ−テングしたもの等が使用されている。
ところが上記のようなロ−プが使用されていると、ロ−プに伸びがないため渦に巻かれた引き舟が急に流れに引かれるとロ−プを通じて釣り人に大きな引き込みが伝わり不快であった。
【特許文献１】実用新案登録第２５５８１８９号公報
【発明の開示】
【発明が解決しようとする課題】
【０００３】
解決しようとする問題点は、ナイロンの組紐やこの組紐に合成樹脂でコ−テングしたロ−プに伸びがないため渦に巻かれた引き舟が急に流れに引かれるとロ−プを通じて釣り人に大きな引き込みが伝わり不快であることである。
【０００４】
本発明の目的は前記欠点に鑑み、ロ−プの外層体が伸縮性を有して衝撃を緩和すると共に外層体の伸びを規制してロ−プの破損を防止した釣り用引き舟を提供することである。
【課題を解決するための手段】
【０００５】
本発明の請求項１は、ロ−プを取り付けた引き舟において、前記ロ−プは長手方向に沿って中空部を有し伸縮性を有する材料で形成した外層体と、前記外層体の中空部に移動可能に挿通した前記外層体の伸びを規制する線材を有していることを要旨とするものである。
本発明の請求項２は、前記線材は前記外層体よりも伸縮性が小さい材料で形成されていることを要旨とするものである。
本発明の請求項３は、前記線材は前記外層体よりも長く形成されていることを要旨とするものである。
【発明の効果】
【０００６】
本発明の請求項により、ロ−プの外層体が伸縮性を有するため、ロ−プを通じて釣り人に引き舟の大きな引き込みによる衝撃が伝わることが緩和され、また、外層体の中空部内に外層体の伸びを規制する線材を有しているため、ロ−プの破損が防止される。
【発明を実施するための最良の形態】
【０００７】
釣り用引き舟は、牽引用のロ−プ１を有し、このロ−プ１の一端は引き舟の先端側に取り付けられ、他端にはナス環等の係止具２が取り付けられて釣り人の腰のベルト等に係止可能となっている。
ロ−プ１は、管状に形成され長手方向に沿って中空部を有し、ゴムや塩化ビニ−ルやウレタン等の合成樹脂等の伸縮性を有する材料で形成した外層体４と、この外層体４の中空部４ａに沿って挿通したナイロン、ポリエチレン等合成樹脂のモノフィラメントやマルチフィラメントからなる外層体４より伸びの小さい線材５からなっている。
この線材５は外層体４より長く螺旋状に形成され、外層体４と相対的に移動可能に外層体４の中空部４ａに挿通されている。
外層体４と線材５が伸びて線材５に弛みが無く一直線状になったときに線材５によって外層体４の伸びが規制される。
【実施例１】
【０００８】
以下、図示の実施例によって本発明を説明すると、図１、図２は第１実施例で、図１は釣り用引き舟にロ−プが取り付けられてロ−プの一部が拡大された平面図、図２（ａ）はロ−プの一部拡大平面図で（ｂ）はロ−プが引き伸ばされた一部拡大平面図である。
【０００９】
釣り用引き舟は、牽引用のロ−プ１を有し、このロ−プ１の一端は引き舟の先端側に取り付けられ、他端にはナス環等の係止具２が取り付けられて釣り人の腰のベルト等に係止可能となっている。
引き舟本体３は、舟型に形成され、浮力体を有し水に浮くようになっており、また、内部に魚が収納可能な容器体で、ロ−プ１で牽引しながら流れの中に引き流しておくことが可能になっている。
ロ−プ１は、管状に形成され長手方向に沿って中空部を有し、ゴムや塩化ビニ−ルやウレタン等の合成樹脂等の伸縮性を有する材料で形成した外層体４と、この外層体４の中空部４ａに沿って挿通したナイロン、ポリエチレン等合成樹脂のモノフィラメントやマルチフィラメントからなる外層体４より伸びの小さい線材５からなっている。
この線材５は外層体４より長く形成され、外層体４と相対的に移動可能に外層体４の中空部４ａに挿通されている。
線材５は、螺旋状に形成されて外層体４の中空部４ａに挿通され、外層体４が長手方向に伸長すると螺旋状が長手方向に引き延ばされるように移動し、更に弛みが無く一直線状になったときに線材５によって外層体４の伸びが規制される。
線材５の両端部は外層体４から引き出されないように抜け止めされている。
外層体４に負荷が無くなり延びた状態から縮んで自然状態になったとき線材５も螺旋状に戻る。
なお、線材５は弛んだ状態で外層体４の中空部４ａに挿通されていれば良い。
また、線材５は金属で形成しても良い。
【００１０】
このロ−プ１を取り付けた釣り用引き舟を使用すると、渦に巻かれた引き舟が急に流れに引かれてもロ−プ１が伸縮して衝撃を緩和するため、ロ−プ１を通じて釣り人に大きな引き込みが伝わることが防止される。
また、引き舟が急に流れに引かれると、ロ−プ１の外層体４が伸びると共に緩み（弛み）を持って配された中空部４ａ内の線材５が徐々に弛みが少なくなり、更に線材５の弛みが無くなり伸びきって張った状態になったとき引き舟の流下が止められ、外層体４の伸びが規制される。
これによって引き舟が流れに引かれた衝撃が緩和され、伸縮した外層体４の破損が防止され、引き舟の流出が防止される。
ロ−プ１の外層体４の材料の弾性率は、上記衝撃を緩和するために１０8 Ｎ／ｍ2 以下が好ましく、ゴム弾性に該当する１０6 Ｎ／ｍ2 以上であることが強度上好ましい。
【００１１】
前記のように釣り用引き舟が構成されると、ロ−プ１の外層体４が伸縮性を有するため、ロ−プ１を通じて釣り人に引き舟の大きな引き込みによる衝撃が緩和され、また、外層体４の中空部４ａ内に外層体４の伸びを規制する線材５を有しているため、ロ−プ１の破損が防止される。
【実施例２】
【００１２】
図３はロ−プの第２実施例で、図３（ａ）はロ−プの一部拡大平面図で（ｂ）はロ−プが引き伸ばされた一部拡大平面図である。
【００１３】
第２実施例では、ロ−プ１の外層体６の外径が第１実施例の外層体４の外径より細く形成されていると共に線材５が蛇行した状態で挿通されている。
したがって伸びを規制する長さが短くなる。
他の構成は前記第１実施例と略同一である。
【００１４】
前記説明では、釣り用引き舟を合成樹脂材等で略引き舟状に形成された容器としたが、他の形状の容器としてもよい。
【産業上の利用可能性】
【００１５】
本発明は釣り用引き舟全般に利用できる。
【図面の簡単な説明】
【００１６】
【図１】第１実施例で、釣り用引き舟にロ−プが取り付けられてロ−プの一部が拡大された平面図である。
【図２】同（ａ）はロ−プの一部拡大平面図で（ｂ）はロ−プが引き伸ばされた一部拡大平面図である。
【図３】第２実施例で、（ａ）はロ−プの一部拡大平面図で（ｂ）はロ−プが引き伸ばされた一部拡大平面図である。
【符号の説明】
【００１７】
１  ロ−プ
４、６  外層体
５  線材
【図１】
2008295318.tif 000003
【図２】
2008295318.tif 000004
【図３】
2008295318.tif 000005